(57)【要約】【課題】裏面側から光を照らすことにより装飾効果が得られる装飾プレート及びこれを製造する方法を提供する。【解決手段】装飾プレート１０は、透光部分及び非透光部分を有する装飾が設けられた本体１、装飾のうちの少なくとも透光部分の位置に対応して本体１の裏面に設けられる透光性の樹脂層４、樹脂層４を介して、本体１の裏面に固定される透光性の支持板５を備える。ここで、本体１の裏面に設けられた樹脂層４が硬化することにより、樹脂層４と透光性の支持板５が一体化して固定される。これにより、裏面側から装飾の透光部分に光を通すことにより装飾効果が得られる装飾プレートを製造することができる。【選択図】図３
2017061125.tif 000002
【特許請求の範囲】
【請求項１】
透光部分及び非透光部分を有する装飾が設けられた本体と、
前記装飾のうちの少なくとも前記透光部分の位置に対応して前記本体の裏面に設けられる透光性の樹脂と、
前記樹脂を介して、前記本体の裏面に固定される透光性の支持板と、
を備えることを特徴とする、装飾プレート。
【請求項２】
前記本体は、表面側に突出した曲面部と、表面側に平面形状を有する凸部と、裏面側に平面形状を有する凹部とを有することを特徴とする、請求項１に記載の装飾プレート。
【請求項３】
前記凹部が前記透光部分に設けられ、
前記支持板は、前記凹部に当接して前記本体の裏面に固定され、前記凹部に当接する位置に形成された複数の凹凸を有することを特徴とする、請求項２に記載の装飾プレート。
【請求項４】
前記支持板は、裏面側に突出する固定具を有することを特徴とする、請求項１〜３のいずれか１項に記載の装飾プレート。
【請求項５】
本体を圧空成形し、透光部分及び非透光部分を有する装飾を設けることと、
前記装飾のうちの少なくとも前記透光部分の位置に対応して前記本体の裏面に透光性の樹脂を設けることと、
前記本体の裏面側に透光性の支持板を載置することと、
前記支持板に設けられた孔部から前記樹脂を注入して前記本体の裏面と前記支持板との間に前記樹脂を充填することと
を含むことを特徴とする、装飾プレートの製造方法。
【発明の詳細な説明】
【技術分野】
【０００１】
本発明は、装飾プレートに関する。
【背景技術】
【０００２】
壁などに配して立体的形状に装飾する装飾プレートが知られている。装飾プレートは、例えば、装飾シートを立体形状に圧空成形し、その表面に凹凸を設けて装飾を施し、内側に樹脂を内蔵して一体化することで成形される（例えば、特許文献１参照）。
【０００３】
その中で、パチンコ機やスロットマシン機等の遊技機の前方に設けられる装飾プレートについて、近年では、遊技機内部に発光体を設け、これを用いて装飾プレートを裏面側から照らし、透光性を有する装飾プレートの表面から光を発することで、高い装飾効果をもたらすものが知られている（例えば、特許文献２参照）。
【先行技術文献】
【特許文献】
【０００４】
【特許文献１】特開２００６−２８１７４０号公報
【特許文献２】特開２０１２−２２３６２１号公報
【発明の概要】
【発明が解決しようとする課題】
【０００５】
本発明は、裏面側から光を照らすことにより装飾効果が得られる装飾プレート及びこれを製造する方法を提供することを課題とする。
【課題を解決するための手段】
【０００６】
本発明の装飾プレートは、
透光部分及び非透光部分を有する装飾が設けられた本体と、
前記装飾のうちの少なくとも前記透光部分の位置に対応して前記本体の裏面に設けられる透光性の樹脂と、
前記樹脂を介して、前記本体の裏面に固定される透光性の支持板と、
を備えることを特徴とする。
【０００７】
この特徴によれば、装飾のうちの少なくとも透光部分の位置に対応して本体の裏面に透光性の樹脂を設け、これを介して本体の裏面に透光性の支持板を固定することで、裏面側から装飾の透光部分に光を通すことにより装飾効果を得ることができる。また、支持板が樹脂によって固着され、接着等の手間をかけずに生産することができる。
ここで「透光部分」とは、裏面から照射された光の全部又は一部が表面に透過する部分を言い、「非透光部分」とは、裏面から照射された光の全部が表面に透過しない部分を言う。
【０００８】
本発明の装飾プレートは、
前記本体は、表面側に突出した曲面部と、表面側に平面形状を有する凸部と、裏面側に平面形状を有する凹部とを有することを特徴とする。
【０００９】
この特徴によれば、自由な形状を構成した曲面部と、平面形状の凸部及び凹部によって多彩な装飾を実現することができる。
【００１０】
本発明の装飾プレートは、
前記凹部が前記透光部分に設けられ、
前記支持板は、前記凹部に当接して前記本体の裏面に固定され、前記凹部に当接する位置に形成された複数の凹凸を有することを特徴とする。
【００１１】
この特徴によれば、複数の凹凸によって、裏面側から通される光が散乱されて透光部分を通り、高い装飾効果を得ることができる。
【００１２】
本発明の装飾プレートは、
前記支持板は、裏面側に突出する固定具を有することを特徴とする。
【００１３】
この特徴によれば、固定具を用いて、装飾プレートを遊技機等に固定することができる。
【００１４】
本発明の装飾プレートの製造方法は、
本体を圧空成形し、透光部分及び非透光部分を有する装飾を設けることと、
前記装飾のうちの少なくとも前記透光部分の位置に対応して前記本体の裏面に透光性の樹脂を設けることと、
前記本体の裏面側に透光性の支持板を載置することと、
前記支持板に設けられた孔部から前記樹脂を注入して前記本体の裏面と前記透光性の支持板との間に前記樹脂を充填することと
を含むことを特徴とする。
【００１５】
この特徴によれば、支持板が樹脂によって固着されて接着等の手間をかけずに装飾プレートを製造することができ、本体の裏面と支持板との間に樹脂が充填されて、裏面側からの光による装飾効果の高い装飾プレートを製造することができる。
【発明の効果】
【００１６】
本発明の装飾プレートによれば、裏面側から装飾の透光部分に光を通すことにより高い装飾効果を得ることが可能となる。
【００１７】
本発明の装飾プレートの製造方法によれば、裏面側から装飾の透光部分に光を通すことにより装飾効果が得られる装飾プレートを製造することが可能となる。
【図面の簡単な説明】
【００１８】
【図１】図１は、装飾プレートの構成を示す正面図である。
【図２】図２は、装飾プレートの構成を示す背面図である。
【図３】図３は、装飾プレートの構成を示す図１の基準線ＡＡに関する断面図である。
【発明を実施するための形態】
【００１９】
以下、本発明の一実施形態について説明する。
【００２０】
図１から図３に、本実施形態に係る装飾プレート１０の構成を示す。図１から図３は、それぞれ、正面図、背面図、及び図１における基準線ＡＡに関する断面図である。図１における手前側及び図３における上方を表側（表面側）とし、図２における手前側及び図３における下方を裏側（裏面側）とする。装飾プレート１０は、本体１、樹脂層４、及び支持板５（透光性の支持板）を含んで構成される。
【００２１】
本体１は、透光部分及び非透光部分を有する色彩、模様、立体的形状等の装飾が設けられる装飾プレート１０の主要部である。本体１は、成形部２及び装飾層３を有する。
【００２２】
成形部２は、主に立体的形状が施される部分である。成形部２は、ポリカーボネート、ポリエチレンテレフタレート、アクリル等の透光性の樹脂を用いて、例えば図１に示すように正面視において幅広の「７」の形状及び厚さ０．５ｍｍ程度を有する器状に成形されている。器の上面には、図３に示すように、表側に突出した曲面部２ａ、表面近傍において概ね平面形状の凸部２ｂ、及び裏面近傍において概ね平面形状の凹部２ｃが形成されている。
【００２３】
装飾層３は、主に色彩及び模様が施される部分である。装飾層３は、例えば、成形部２の表面（裏面でもよい）に複数色の非透光性又は透光性のインクを用いて印刷することで設けられる。装飾層３は、透光部分３ａ及び非透光部分３ｂを含む。図において濃い網掛けの部分が非透光部分３ｂ、薄い網掛けの部分が透光部分３ａである。なお、装飾層３以外の部分（図において網掛けのない部分）は、透明であり、透光部分と考えられる。
【００２４】
それにより、本実施形態では、成形部２の曲面部２ａの表面を非透光部分３ｂとして人物像をあしらい、複数の凸部２ｂの一部を透光部分３ａとして炎（不図示）をあしらった。ただし、人物の目の部分は透光部分３ａとした。
【００２５】
複数の凹部２ｃは透光部分（装飾層３に含まれる透光部分３ａであっても装飾層３以外の部分であってもよい）であり、後述する支持板５が当接している。支持板５の凹部２ｃの当接する箇所には複数の微小な凹凸（不図示）が形成されている。例えば細かな四角錐が多数形成されている。裏面側から光を通すとその光が不規則に散乱されて装飾効果を得ることができる。なお、複数の凹凸の大きさ及び向きの選択は任意であり、一定の大きさ及び一定の向きに揃えるなど規則的であっても、不規則な大きさ及び向きであってもよい。
【００２６】
樹脂層４は、成形部２の内側に充填されて器の内部を埋めて本体１を補強するとともに、本体１に後述する支持板５を固定する。樹脂層４は、例えば、エポキシ系の透光性を有する二液性樹脂を用いて、少なくとも本体１の透光部分（成形部２の裏面のうち、装飾層３が設けられていない部分）の位置に対応して本体１の裏面（すなわち、成形部２の内側）に設けられる。むろん、透光部分、非透光部分の双方に設けられて、本体１の全体を補強することが好ましい。
【００２７】
支持板５は、樹脂層４を介して本体１の裏面に固定されて、本体１を支持する透光性の板状部材である。支持板５は、例えば、成形部２と同様の透光性の樹脂を用いて形成される。支持板５は、図３より分かるように裏面側に突出する４つの円筒状の固定具６が設けられている。これらの固定具６を用いて、装飾プレート１０を遊技機等の前面に固定することができる。なお、本実施形態では図面簡略化のために固定具６を４つのみ設けたが、遊技機等への固定を確実にするためには、多数（例えば１０）を設けることが好ましい。
【００２８】
支持板５は、３つの孔部５ａを有している。孔部５ａの効果については後述する。孔部５ａは、非透光部分３ｂに対応する箇所に設けられている。裏面側から通される光が孔部５ａにおいて他の部分と異なる屈折をするので、かかる屈折による擾乱が見えないようにしたものである。
【００２９】
固定具６を遊技機に把持させて装飾プレート１０を設置し、裏面側から光を当てる。表面側から見ると、非透光部分（及び有色の透光部分）の装飾に加えて透光部分から放射される光によって高い装飾効果を得ることができる。凹部２ｃにおいて光が不規則に散乱されて、装飾効果がさらに高いものとなる。
【００３０】
ここで、非透光部分３ｂの中の透光部分３ａ（人物の目の部分）は、そこから光が放射されて光って見える。特に、樹脂層４から空気中に光が放出される際の樹脂層４の屈折率の効果で、輝きを増す。
【００３１】
装飾プレート１０の製造方法について説明する。
【００３２】
最初に、成形部２を成形する。成形部２を構成する透光性の樹脂（ただし、ここでは板状を有する）を、圧空成形する。それにより、複数の曲面部２ａ，凸部２ｂ及び凹部２ｃが形成された器状の成形部２が形成される。
【００３３】
次に、成形部２の表側に装飾層３を設ける。成形部２の表面の一部に複数色の非透光性又は透光性のインクを用いて印刷する。成形部２及び装飾層３より、非透光部分及び透光部分を有する装飾が設けられた本体１を構成する。
【００３４】
なお、成形部２を圧空成形した後に装飾層３を設けることに代えて、成形部２を圧空成形する前に板状の透光性の樹脂に装飾層３を設け、その後で樹脂を圧空成形して成形部２を形成することとしてもよい。
【００３５】
次に、樹脂層４を形成する。二液性樹脂の２種の液のそれぞれを成形部２の内側に同時に射出して成形部２の内側の容積の８０％程度を充填する。ここで、樹脂は、少なくとも装飾の透光部分の位置に対応して本体１の裏面に設けられる。本実施形態では、成形部２の内側の全体に樹脂層４を形成した。これにより、成形部２（本体１）の全体が補強される。
【００３６】
次に、支持板５を載置する。この時点では、成形部２の内側の容積の８０％程度のみが充填されているので、樹脂層４と支持板５との間に空隙が存在する。
【００３７】
次に、３つの孔部５１のうち１つ又は２つから二液性樹脂を注入する。残りの２つ又は１つの穴から空気が押出され、二液性樹脂が成形部２と支持板５との間に空隙なく充填される。なお、注入する孔を交換しつつ注入
【００３８】
最後に、二液性樹脂が硬化すると、樹脂層４は成形部２及び支持板５に固着される。この結果、接着剤等を使用せずに、本体１、樹脂層４及び支持板５の全体が一体化された装飾プレート１０が製造される。
【００３９】
装飾プレート１０の使用方法について説明する。
【００４０】
装飾プレート１０を設置する箇所を、パチンコ機等の略垂直な正面側として説明する。設置する箇所のうち固定具６に対応する箇所に孔を形成する。
【００４１】
形成された孔に、固定具６を挿入することで、装飾プレート１０がパチンコ機等に容易に設置される。さらに、固定具６の孔６ａにネジ等を貫入する等によって強固に固定してもよい。
【００４２】
以上詳細に説明したように、本実施形態の装飾プレート１０は、透光部分及び非透光部分を有する装飾が設けられた本体１、装飾のうちの少なくとも透光部分の位置に対応して本体１の裏面に設けられる透光性の樹脂層４、樹脂層４を介して、本体１の裏面に固定される透光性の支持板５が一体化されて構成される。これにより、裏面側から装飾の透光部分に光を通すことにより装飾効果が得られる装飾プレート１０が提供される。
【００４３】
また、本実施形態の装飾プレート１０の製造方法は、透光部分及び非透光部分を有する装飾が設けられた本体１を圧空成形することと、支持板５を載置することと、樹脂を注入して成形部２と支持板５との間に空隙なく充填することとを含む。これにより、本体１、樹脂層４及び支持板５の全体が一体化され、裏面側から装飾の透光部分に光を通すことにより装飾効果が得られる装飾プレート１０を製造することができる。
【００４４】
なお、本発明の装飾プレートは、裏面側から光を通すことにより高い装飾効果を得るものであるが、必ずしも裏面側から光を通さなくとも一定の装飾効果を得ることができ、強固であり、固定具６を利用してパチンコ機等に容易に設置することができる。
【産業上の利用可能性】
【００４５】
本発明の装飾プレートは、裏面側から光を通すことにより装飾効果を得るのに好適である。また、本発明の装飾プレートの製造方法によれば、裏面側から光を通すことにより装飾効果が得られる装飾プレートを製造するのに好適である。
【符号の説明】
【００４６】
１    本体
２    成形部
２ａ  曲面部
２ｂ  凸部
２ｃ  凹部
３    装飾層
３ａ  透光部分
３ｂ  非透光部分
４    樹脂層
５    支持板
５ａ  孔部
６    固定具
１０  装飾プレート
【図１】
2017061125.tif 000003
【図２】
2017061125.tif 000004
【図３】
2017061125.tif 000005